【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
トナープロセスであって、
表面が金属層でコーティングされたラテックス粒子を含むハイブリッド金属−ラテックス粒子、表面が金属層でコーティングされたワックス粒子を含むハイブリッド金属−ワックス粒子、表面が金属層でコーティングされた着色剤粒子を含むハイブリッド金属−着色剤粒子、およびこれらの組み合わせからなる群から選択することができる少なくとも一つのハイブリッド金属トナー成分を提供することと；
前記少なくとも一つのハイブリッド金属トナー成分と、ラテックスポリマー、ワックスおよび着色剤からなる群から選択される一つ以上の成分とを接触させ、ブレンドを作製することと；
前記ブレンドを、前記ラテックスポリマーのガラス転移温度より低い温度で加熱し、凝集したトナー粒子を作製することと；
前記トナー粒子に融着剤を加え、これによって、前記トナー粒子を融着させることと；
前記トナー粒子を回収することと、
を含む、トナープロセス。
【請求項２】
前記少なくとも一つのハイブリッド金属トナー成分が、ある表面を有する樹脂ラテックス粒子と前記樹脂ラテックス粒子の表面に堆積した金属層とを含むハイブリッド金属−ラテックス粒子であり；
前記金属層が、前記樹脂ラテックス粒子の表面の本質的に全てを覆うようにコーティングを生成するように堆積するか、または
前記金属層が、前記樹脂ラテックス粒子の表面の一部を覆うようにコーティングを生成するように堆積する、請求項１に記載のトナープロセス。
【請求項３】
前記少なくとも一つのハイブリッド金属トナー成分が、その上に金属層が堆積した樹脂ラテックス粒子を含む、ハイブリッド金属−ラテックス粒子であり、前記金属が、アルミニウム、金、銀、亜鉛、白金、クロム、チタン、銅−亜鉛アロイ、およびこれらの組み合わせからなる群から選択される、請求項１に記載のトナープロセス。
【請求項４】
前記少なくとも一つのハイブリッド金属トナー成分が、その上に金属層が堆積した樹脂ラテックス粒子を含む、ハイブリッド金属−ラテックス粒子であり、ラテックス樹脂が、アモルファスポリエステル、結晶性ポリエステル、またはこれらの混合物であるか、または、
前記少なくとも一つのハイブリッド金属トナー成分が、その上に金属層が堆積した樹脂ラテックス粒子を含む、ハイブリッド金属−ラテックス粒子であり、ラテックス樹脂が、スチレン、アクリレート、メタクリレート、ブタジエン、イソプレン、アクリル酸、メタクリル酸、アクリロニトリル、およびこれらの組み合わせからなる群から選択される、請求項１に記載のトナープロセス。
【請求項５】
前記少なくとも一つのハイブリッド金属トナー成分が、ある表面を有するワックス粒子と前記ワックス粒子の表面に堆積した金属層とを含むハイブリッド金属−ワックス粒子であり、
前記金属層が、前記ワックス粒子の表面の本質的に全てを覆うようにコーティングを生成するように堆積するか、または
前記金属層が、前記ワックス粒子の表面の一部を覆うようにコーティングを生成するように堆積する、請求項１に記載のトナープロセス。
【請求項６】
前記少なくとも一つのハイブリッド金属トナー成分が、その上に金属層が堆積したワックス粒子を含むハイブリッド金属−ワックス粒子であり、前記金属が、アルミニウム、金、銀、亜鉛、白金、クロム、チタン、銅−亜鉛アロイ、およびこれらの組み合わせからなる群から選択される、請求項１に記載のトナープロセス。
【請求項７】
前記少なくとも一つのハイブリッド金属トナー成分が、その上に金属層が堆積したワックス粒子を含むハイブリッド金属−ワックス粒子であり、前記ワックスが、ポリオレフィン、カルナバワックス、米ろう、カンデリラろう、木ろう、ホホバ油、ハチミツ、モンタンワックス、オゾケライト、セレシン、パラフィンワックス、微結晶性ワックス、Ｆｉｓｃｈｅｒ−Ｔｒｏｐｓｃｈワックス、ステアリン酸ステアリル、ベヘン酸ベヘニル、ステアリン酸ブチル、オレイン酸プロピル、グリセリドモノステアレート、グリセリドジステアレート、ペンタエリスリトールテトラベヘネート、ジエチレングリコールモノステアレート、ジプロピレングリコールジステアレート、ジグリセリルジステアレート、トリグリセリルテトラステアレート、ソルビタンモノステアレート、およびこれらの組み合わせからなる群から選択される、請求項１に記載のトナープロセス。
【請求項８】
前記少なくとも一つのハイブリッド金属トナー成分が、その上に金属層が堆積したワックス粒子を含むハイブリッド金属−ワックス粒子であり、前記ワックスが、ポリエチレン、ポリプロピレン、およびこれらの混合物からなる群から選択される、請求項１に記載のトナープロセス。
【請求項９】
前記少なくとも一つのハイブリッド金属トナー成分が、ある表面を有する着色剤粒子と前記着色剤粒子表面に堆積した金属層とを含むハイブリッド金属−着色剤粒子であり；
前記金属層が、前記着色剤粒子の表面の本質的に全てを覆うようにコーティングを生成するように堆積するか、または
前記金属層が、前記着色剤粒子の表面の一部を覆うようにコーティングを生成するように堆積する、請求項１に記載のトナープロセス。
【請求項１０】
前記少なくとも一つのハイブリッド金属トナー成分が、ある表面を有する樹脂ラテックス粒子と前記樹脂ラテックス粒子の表面に堆積された金属層とを含むハイブリッド金属−ラテックス粒子、ある表面を有するワックス粒子と前記ワックス粒子の表面に堆積された金属層とを含むハイブリッド金属−ワックス粒子、ある表面を有する着色剤粒子と前記着色剤粒子の表面に堆積された金属層とを含むハイブリッド金属−着色剤粒子、およびそれらの組み合わせからなる群から選択され、
前記金属層は、１ナノメートルから１０ナノメートルの厚さを有する薄膜層である、請求項１に記載のトナープロセス。
【請求項１１】
前記金属層が、粒子の表面の本質的に全てを覆うようにコーティングを生成するように堆積するか、または
前記金属層が、粒子の表面の一部を覆うようにコーティングを生成するように堆積する、請求項１０に記載のトナープロセス。
【請求項１２】
第２のラテックスポリマーを前記凝集したトナー粒子に加えて、前記凝集したトナー粒子の上にシェルを生成し、それによってコア−シェルトナーを作製することと、
前記トナー粒子に前記融着剤を加え、その後、前記第２のラテックスポリマーのガラス転移温度より高い温度で前記コア−シェルトナーと前記融着剤とを加熱することと、
をさらに含む、請求項１に記載のトナープロセス。
【請求項１３】
前記第２のラテックスポリマーは、ラテックスポリマーを含むか、または
第２のハイブリッド金属−ラテックス粒子は、ある表面を有する樹脂ラテックス粒子と前記樹脂ラテックス粒子の表面に堆積した金属層とを含み、前記第２のハイブリッド金属−ラテックス粒子は、第１の前記ハイブリッド金属−ラテックス粒子と同じであるかまたは異なる、請求項１２に記載のトナープロセス。
【請求項１４】
前記トナープロセスは、乳化凝集プロセスである、請求項１に記載のトナープロセス。
【請求項１５】
表面が金属層でコーティングされたラテックス粒子を含むハイブリッド金属−ラテックス粒子、表面が金属層でコーティングされたワックス粒子を含むハイブリッド金属−ワックス粒子、表面が金属層でコーティングされた着色剤粒子を含むハイブリッド金属−着色剤粒子、およびこれらの組み合わせからなる群から選択される少なくとも一つのハイブリッド金属トナー成分の乳化凝集プロセスの生成物であるトナー粒子と、
樹脂と、
任意要素のワックスと、
任意要素の着色剤と
を含む、乳化凝集トナー。
【請求項１６】
前記少なくとも一つのハイブリッド金属トナー成分が、ある表面を有する樹脂ラテックス粒子と前記樹脂ラテックス粒子の表面に堆積した金属層とを含むハイブリッド金属−ラテックス粒子であり、
前記金属層が、前記樹脂ラテックス粒子の表面の本質的に全てを覆うようにコーティングを生成するように堆積するか、または
前記金属層が、前記樹脂ラテックス粒子の表面の一部を覆うようにコーティングを生成するように堆積する、請求項１５に記載のトナー。
【請求項１７】
前記少なくとも一つのハイブリッド金属トナー成分が、ある表面を有するワックス粒子と前記ワックス粒子の表面に堆積した金属層とを含むハイブリッド金属−ワックス粒子であり、
前記金属層が、前記ワックス粒子の表面の本質的に全てを覆うようにコーティングを生成するように堆積するか、または
前記金属層が、前記ワックス粒子の表面の一部を覆うようにコーティングを生成するように堆積する、請求項１６に記載のトナー。
【請求項１８】
前記少なくとも一つのハイブリッド金属トナー成分が、ある表面を有する着色剤粒子と前記着色剤粒子の表面に堆積した金属層とを含むハイブリッド金属−着色剤粒子であり、
前記金属層が、前記着色剤粒子の表面の本質的に全てを覆うようにコーティングを生成するように堆積するか、または
前記金属層が、前記着色剤粒子の表面の一部を覆うようにコーティングを生成するように堆積する、請求項１６に記載のトナー。
【請求項１９】
前記金属が、アルミニウム、金、銀、亜鉛、白金、クロム、チタン、銅−亜鉛アロイ、およびこれらの組み合わせからなる群から選択される、請求項１６に記載のトナー。
【請求項２０】
前記トナーが、コアおよびその上に配置されたシェルを含み、
前記コアは、前記少なくとも一つのハイブリッド金属トナー成分を含み、
前記シェルはラテックスポリマー、または、第２のハイブリッド金属トナー成分を含み、前記第２のハイブリッド金属トナー成分は、前記コアに含まれる前記ハイブリッド金属トナー成分と同じであるか、または異なる、請求項１６に記載のトナー。
【請求項２１】
前記トナーが乾燥したトナー粒子を含む、請求項１５に記載のトナー。
【請求項２２】
ハイブリッド金属−ラテックス粒子、ハイブリッド金属−ワックス粒子、およびハイブリッド金属−着色剤粒子からなる群から選択される少なくとも一つのハイブリッド金属トナー成分の乳化凝集プロセスの生成物であるトナー粒子と、
樹脂と、
任意要素のワックスと、
任意要素の着色剤と、
を含み、
前記少なくとも一つのハイブリッド金属トナー成分は、粒子表面の一方の側面が金属層でコーティングされ、他方の側面がコーティングされていないヤヌス粒子を含む、乳化凝集トナー。
【請求項２３】
ハイブリッド金属−ラテックス粒子、ハイブリッド金属−ワックス粒子、およびハイブリッド金属−着色剤粒子からなる群から選択される少なくとも一つのハイブリッド金属トナー成分と、樹脂と、ワックスと、任意要素の着色剤と、の乳化凝集プロセスの生成物であるトナー粒子を含み、
前記少なくとも一つのハイブリッド金属トナー成分の一部は、金属層でコーティングされており、前記少なくとも一つのハイブリッド金属トナー成分の一部は、非金属層でコーティングされている、または、
前記少なくとも一つのハイブリッド金属トナー成分の一部は、第１の金属を含む金属層でコーティングされており、前記少なくとも一つのハイブリッド金属トナー成分の一部は、前記第１の金属とは異なる第２の金属を含む金属層でコーティングされている、乳化凝集トナー。